(57)【特許請求の範囲】
【請求項１】
上壁と該上壁の周縁の少なくとも一部から垂下する側壁とを有し、該上壁の該側壁が形成された周縁部には排液口が形成されている、合成樹脂から一体に成形された容器蓋において、
該側壁には該排液口の配設位置に整合せしめて配置された溢液吸収材保持手段が配設されており、該溢液吸収材保持手段は、少なくとも一端は該側壁に接続され且つ該側壁に沿って延びる主部を有するストリップ片から構成されており、該ストリップ片に力を加えて弾性的に変形せしめて該ストリップ片の該主部を該側壁から遠ざけ、次いで該ストリップ片の該主部と該側壁との間に溢液吸収材を位置せしめ、しかる後に該ストリップ片に加えていた力を解放することによって、該ストリップ片の該主部と該側壁との間に該溢液吸収材を弾性的に挟持することができる、ことを特徴とする容器蓋。
【請求項２】
該ストリップ片は周方向に間隔をおいて該側壁から延出する両端部を有し、該ストリップ片の該主部は該両端部間を該側壁に沿って周方向に延びており、該両端部は該側壁から相互に離隔する方向に延出し、該両端部の各々と該主部とが形成する角度αは鋭角である、請求項１記載の容器蓋。
【請求項３】
該ストリップ片は該側壁から延出する一端部を有し、該ストリップ片の該主部は該一端部に続いて該側壁に沿って周方向又は上方に延びている、請求項１記載の容器蓋。
【発明の詳細な説明】
【０００１】
【発明の属する技術分野】
本発明は、ジュース、食用油等の液体を収容した缶あるいは合成樹脂製容器に離脱自在に装着されて使用される容器蓋であって、上壁と上壁の周縁の少なくとも一部から垂下する側壁とを有し、上壁の該側壁が形成された周縁部には排液口が形成されている、合成樹脂から一体に成形された容器蓋、更に詳しくは上記側壁に溢液吸収材保持手段が配設された容器蓋に関する。
【０００２】
【従来の技術】
例えば食用油を収容した金属製の容器である缶において、食用油の使用時には、一般に缶の上壁の周縁部が缶用の孔あけ具あるいは缶切り等を利用して少なくとも１箇所開口される。四角い缶の場合、この開口箇所は一般に缶の上壁に記されている。そして予めその缶に合わせて用意された容器蓋が、容器蓋に配設された排液口が缶の上記開口の一つに整合されてその上壁を覆うように装着され、容器蓋の排液口から容器内の食用油が注出される。上記形態の容器蓋の典型例としては、例えば実公平４−５４１３３号公報に開示された合成樹脂製容器蓋を挙げることができる。同公報に開示された容器蓋は、キャップ形状の取付け部材と、取付け部材に係合固定されたキャップ部材とから構成されている。取付け部材は頂壁と頂壁の周縁から垂下する筒状側壁とを有しており、側壁の下端部内周縁には容器の上端外周縁に係止される取付部が配設され、頂壁には排液口（口部）が立設されている。キャップ部材は、軟質材からなる板と、板の前端部に設けられたキャップ体と、板の後端部に設けられた係合部とを含み、キャップ部材は板の係合部を介して取付け部材に係合固定されている。キャップ体は取付け部材の排液口を開口自在に閉塞している。以上のように構成された容器蓋は、その排液口が容器の上壁開口に整合されて容器の上壁を覆うよう取付部を介して装着され、食用油の使用時には容器蓋のキャップ体を開いて排液口を開口し、容器を注出方向に傾けて容器内に収容した食用油を排液口から適宜に注出する。
【０００３】
【発明が解決しようとする課題】
上記従来の容器蓋においては、食用油の注出時におけるいわゆる液切れを良好にするために、取付け部材の頂壁に上記の如く排液口が立設されている。しかしながら、液体が特に食用油の如く粘性の比較的強い液体の場合には、注出終了直後における液切れを完全に除去することは、排液口の形状が種々改良された現状においても著しく困難であることは実用上明らかであり、未だにこの要求を完全に満足すべき容器蓋は得られていない。したがって上記従来の容器蓋を使用した場合には、食用油を注出した直後の排液口における液切れが不完全であることに起因して、排液口から垂れ流れたりあるいは滴下した食用油が容器の側面を伝ってその底部まで垂れ流れ、容器の側面を汚す、また容器の側面を伝ってその底部まで垂れ流れた食用油が容器の底部から落下してその下方の周辺を汚したり容器が置かれる場所を汚す、あるいはまた排液口から滴下した食用油が容器を介さず直接落下して注出作業が行なわれる下方の周辺を汚す、等の不具合を招いていた。
【０００４】
本発明は上記事実に基づいてなされたものであり、その目的は、排液口から垂れ流れたり滴下した液体を受け止めて確実に吸収することができ、その結果、容器の側面、容器が置かれる場所あるいは注出作業が行なわれる下方の周辺等を汚すことのない、新規な溢液吸収材保持手段を備えた容器蓋を提供することである。
【０００５】
本発明の他の目的は、排液口から垂れ流れたり滴下した液体を受け止めて確実に吸収することができる溢液吸収材の着脱が容易でありしたがって実用上便利である、新規な溢液吸収材保持手段を備えた容器蓋を提供することである。
【０００６】
本発明の他の目的は、排液口から垂れ流れたり滴下した液体を受け止めて確実に吸収することができる溢液吸収材を安定して保持することができる、新規な溢液吸収材保持手段を備えた容器蓋を提供することである。
【０００７】
本発明の更に他の目的は、構造が簡単で成形が容易であり、したがって低コストで製造することができる、新規な溢液吸収材保持手段を備えた容器蓋を提供することである。
【０００８】
本発明のその他の目的及び特徴は、本発明に従って構成された溢液吸収材保持手段を備えた容器蓋の実施形態について添付図面を参照して詳細に説明する後の記載から明らかになるであろう。
【０００９】
【課題を解決するための手段】
本発明によれば、上壁と該上壁の周縁の少なくとも一部から垂下する側壁とを有し、該上壁の該側壁が形成された周縁部には排液口が形成されている、合成樹脂から一体に成形された容器蓋において、
該側壁には該排液口の配設位置に整合せしめて配置された溢液吸収材保持手段が配設されており、該溢液吸収材保持手段は、少なくとも一端は該側壁に接続され且つ該側壁に沿って延びる主部を有するストリップ片から構成されており、該ストリップ片に力を加えて弾性的に変形せしめて該ストリップ片の該主部を該側壁から遠ざけ、次いで該ストリップ片の該主部と該側壁との間に溢液吸収材を位置せしめ、しかる後に該ストリップ片に加えていた力を解放することによって、該ストリップ片の該主部と該側壁との間に該溢液吸収材を弾性的に挟持することができる、ことを特徴とする容器蓋、が提供される。
【００１０】
該ストリップ片は周方向に間隔をおいて該側壁から延出する両端部を有し、該ストリップ片の該主部は該両端部間を該側壁に沿って周方向に延びており、該両端部は該側壁から相互に離隔する方向に延出し、該両端部の各々と該主部とが形成する角度αは鋭角である、ことが好ましい。また、該ストリップ片は該側壁から延出する一端部を有し、該ストリップ片の該主部は該一端部に続いて該側壁に沿って周方向又は上方に延びている、ことが好ましい。
【００１１】
【発明の実施の形態】
以下、本発明の好適実施形態を図１〜図５を参照して更に詳細に説明する。なお図１〜図５において、実質上同一部分は同一符号で示されている。先ず図１及び図２を参照して、例えば、ポリプロピレン等の合成樹脂から一体に成形することができる容器蓋２は、実質上平坦でかつ円形状周縁を有する上壁４と、上壁４の周縁から垂下する円筒形状の側壁６とを有している。上壁４の周縁部には排液口８が形成されている。排液口８は上壁４から上方に延びる円筒形状の注出案内壁１０を含んでいる。注出案内壁１０の基端部外周面には、その全周にわたって被係止突条１２が形成されている。注出案内壁１０はキャップ１４により開口自在に閉じられる。キャップ１４は、円形状周縁を有する天壁１６と、天壁１６の周縁から垂下するスカート壁１８とを備え、細長い柔軟なバンド２０によって側壁６の上端に一体に連結されている。キャップ１４のスカート壁１８の開口端部の内周面には、その全周にわたって係止突条２２が形成されており、また天壁１６にはその内側から下方に延びる円筒形状のシール壁２４が形成されている。図１に示されているように、キャップ１４の係止突条２２が注出案内壁１０の被係止突条１２に離脱自在に係止されかつキャップ１４のシール壁２４の外周面が注出案内壁１０の開口端部の内周面に離脱自在に密着して嵌合されることにより、排液口８はキャップ１４によって開口自在に閉じられる。容器蓋２の側壁６の開口端部の内周面には、その全周にわたって係止突条２６が形成されており、また上壁４にはその内側から下方に延びる円筒形状のシール壁２８が形成されている。
【００１２】
容器蓋２の側壁６には排液口８の配設位置に整合せしめて配置された溢液吸収材保持手段３０が形成されている。溢液吸収材保持手段３０は、少なくとも一端は側壁６に接続され且つ側壁６に沿って周方向に円弧状に延びる主部３２ａを有するストリップ片３２から構成されている。図１及び図２に示す実施形態においては、ストリップ片３２は、周方向に間隔をおいて側壁６から延出する一対の端部３４を有し、主部３２ａは端部３４の各々間を側壁６に沿って周方向に延びている。両端部３４は側壁６から相互に離隔する方向に延出し、両端部３４の各々と主部３２ａとが形成する角度αは鋭角である（図２参照）。主部３２ａと両端部３４の各々からなるストリップ片３２は、略一定の厚さと一定の上下方向幅を有しており、全体として帯形状をなしている。以上のように構成されたストリップ片３２の主部３２ａに力を加えて弾性的に変形せしめて主部３２ａを側壁６から遠ざけ、次いで主部３２ａと側壁６との間に溢液吸収材３６を位置せしめ、しかる後に主部３２ａに加えていた力を解放することによって、主部３２ａと側壁６との間に溢液吸収材３６を弾性的に挟持することができる。溢液吸収材３６は、綿、ティッシュペーパ、その他の適宜の材料から構成される。
【００１３】
番号１００は、それ自体周知の構成でよい金属製の容器である缶であって、円筒形状の胴部１０２と、胴部１０２の上端及び下端にカール結合された上壁１０４及び底壁１０６とを備えている。したがって缶１００の上端部外周面及び底部外周面にはカール結合部からなる環状突条１０８及び１１０が形成されている。缶１００の上端部外周面及び底部外周面に環状突条１０８及び１１０が形成されていることに起因して、缶１００の上面及び底面には円形凹部が形成される。胴部１０２が円形状の断面を有しているので、上壁１０４、底壁１０６、環状突条１０８及び１１０は平面図において円形状をなしている。缶１００内には図示しない食用油が収容されている。そして食用油の使用時には、缶１００の上壁１０４の周縁部が例えば缶用の孔あけ具により開口される。図１の番号１１２はこのようにしてあけられた開口を示している。缶１００の上壁１０４に開口１１２が形成された後、容器蓋２がその排液口８が開口１１２に整合されて上壁１０４を覆うよう装着される。具体的には、容器蓋２は、その側壁６の内周面に形成された係止突条２６が缶１００の環状突条１０８の軸方向下端に係止され、シール壁２８の外周面が環状突条１０８の、上壁１０４から上方に突出した内周面に密着して嵌合されることにより缶１００に離脱自在に装着される。そして注出案内壁１０からキャップ１４を離脱して排液口８を開き、缶１００を注出方向（図１において反時計方向）に傾けることにより食用油を注出案内壁１０から所望のとおりに注出することができる。食用油の注出終了後、注出案内壁１０はキャップ１４により閉じられて次の使用に備えられる。
【００１４】
先に述べた如く、食用油の注出終了直後における液切れを完全に除去することは著しく困難であり、したがって注出案内壁１０から食用油が垂れ流れたり滴下したりする場合が生ずる。しかしながら本発明に係る容器蓋２においては、上記の如く、側壁６に排液口８すなわち注出案内壁１０の配設位置に整合せしめて配置された溢液吸収材保持手段３０が形成されており、溢液吸収材保持手段３０は、周縁方向に間隔をおいて側壁６から延出する両端部３４と、両端部３４間を側壁６に沿って周方向に延びる主部３２ａとを含むストリップ片３２から構成され、主部３２ａと側壁６との間に溢液吸収材３６を弾性的に挟持することができるよう構成されているので、注出案内壁１０から垂れ流れたり滴下した食用油は、缶１００の側面である胴部１０２の表面に達する手前で、あるいは注出作業が行なわれる下方の周辺に直接落下する手前で、溢液吸収材保持手段３０の溢液吸収材３６によって受け止められ、溢液吸収材３６によって確実に吸収される。その結果、注出案内壁１０から垂れ流れたり滴下した食用油が缶１００の側部である胴部１０２の表面を伝ってその底部である環状突条１１０まで垂れ流れ、缶１００の胴部１０２の表面を汚すことが防止される。また缶１００の胴部１０２の表面を伝ってその環状突条１１０まで垂れ流れた食用油が環状突条１１０から落下してその下方周辺を汚したり缶１００が置かれる場所を汚すことが防止される。あるいはまた注出案内壁１０から滴下した食用油が缶１００を介さず直接落下して注出作業が行なわれる下方の周辺を汚すことも防止される。
【００１５】
また本発明に係る容器蓋２においては、溢液吸収材保持手段３０のストリップ片３２の主部３２ａに力を加えて弾性的に変形せしめて主部３２ａを側壁６から遠ざけ、次いで主部３２ａと側壁６との間に溢液吸収材３６を位置せしめ、しかる後に主部３２ａに加えていた力を解放することによって、主部３２ａと側壁６との間に溢液吸収材３６を弾性的に挟持することができるので、誰でもが溢液吸収材３６の着脱を容易に遂行することができ（交換も容易であり）、またストリップ片３２の弾性によって溢液吸収材３６を安定して保持することができるので、実用上きわめて便利である。またストリップ片３２の両端部３４の各々と主部３２ａとが形成する角度αが鋭角であることに起因して、ストリップ片３２の弾性変形を容易にせしめ、溢液吸収材３６の着脱の容易性を向上させる。なお角度αが鋭角でない実施形態の場合、上記弾性変形量は低下するが、本発明が成立することには変わりはない。使用者は適宜の溢液吸収材３６を自由に選んで使用することができるので、この面においても使い易いといえる。もちろん、メーカーサイドにおいても、出荷時に溢液吸収材３６を装着することも可能である。
【００１６】
上記した溢液吸収材保持手段３０は、周縁方向に間隔をおいて側壁６から延出する両端部３４と、両端部３４間を側壁６に沿って周方向に延びる主部３２ａとを含むストリップ片３２から構成されているが、図３に示されているように、ストリップ片３２が、側壁６から延出する一端部３５を有し、ストリップ片３２の主部３２ａが一端部３５に続いて側壁６に沿って周方向に円弧状に延びている他の実施形態もある。この実施形態においては、ストリップ片３２の弾性変形操作が一層容易となり、溢液吸収材３６の着脱の容易性を一層向上させることができる。なお図３において、符号３２ｂは、主部３２ａの内側に形成された複数個のリブを示している。実施形態におけるリブ３２ｂの各々は、主部３２ａの内側において周方向に間隔をおいて上下方向に延在するよう形成されている。主部３２ａの内側に複数個のリブ３２ｂを形成することによって、溢液吸収材３６の保持が効果的に遂行される。もちろん図１及び図２の実施形態においても、前記と同様な複数個のリブを設けることは、溢液吸収材３６の保持効果を向上させる上で好ましい。また上記の如きリブは、主部３２ａの内側において上下方向に間隔をおいて周方向に延在するよう複数個設けることも可能である。更にはまた、主部３２ａの内側において、不連続の突起を複数個形成する実施形態もある。
【００１７】
溢液吸収保持手段３０は、側壁６に両端部３４と主部３２ａとからなるストリップ片３２を形成することにより、あるいはまた側壁６に一端部３５と主部３２ａとからなるストリップ片３２を形成することにより構成されるので、構造が簡単で成形がきわめて容易であり、したがって容器蓋２全体として低コストで製造することができる。
【００１８】
上記説明から容易に理解されるように、本発明に従って構成された容器蓋２によれば、缶１００自体の汚れ、缶１００が置かれる場所の汚れあるいは食用油の注出作業が行なわれる下方の周辺の汚れ等を心配することなく、食用油の注出を行うことができるので、主婦等は安心して料理に集中することができ、実用上きわめて有用である。
【００１９】
次に図４及び図５を参照して、本発明に従って構成された容器蓋の他の実施形態について説明する。例えば、ポリプロピレン等の合成樹脂から一体に成形することができる容器蓋４０は、実質上平坦で矩形状の周縁を有する上壁４２と、上壁４２の周縁の少なくとも一部である一側から垂下する側壁４４とを有している。側壁４４は、図５に示す如き平面図において、該周縁の一側に沿って周方向（周縁の周方向）に直線状に延びている。上壁４２には排液口８が形成されている。排液口８は上壁４２から上方に延びる円筒形状の注出案内壁１０を含んでいる。注出案内壁１０の下方の一部は上壁４２から下方に延び出している。上壁４２から下方に延び出した注出案内壁１０の下端部外周面には、その全周にわたって係止突条４６が形成されている。上壁４２には注出案内壁１０の外側から下方に延びる円筒形状のシール壁４８が形成されている。シール壁４８の上壁４２から下方への突出長さは、注出案内壁１０の上壁４２から下方への突出長さよりも短く規定されている。注出案内壁１０を開口自在に閉じるキャップ１４は、細長い柔軟なバンド２０によって上壁４２の周縁の他の一側に連結されている。
【００２０】
容器蓋４０の側壁４４には排液口８の配設位置に整合せしめて配置された溢液吸収材保持手段３０が形成されている。溢液吸収材保持手段３０は、周縁方向に間隔をおいて側壁６から延出する両端部３４と、両端部３４間を側壁４４に沿って周方向に直線状に延びる主部３２ａとを含むストリップ片３２から構成されている。溢液吸収材保持手段３０を含む容器蓋４０のその他の構成は、先に述べた容器蓋２の構成と実質上同一であるので、実質上同一部分は同一符号で示し、説明は省略する。
【００２１】
番号２００は金属製の容器である缶であって、図１に示す缶１００と相違する構成は、胴部１０２の断面が実質上矩形状をなしている（したがって上壁１０４、底壁１０６、環状突条１０８及び１１０も、平面図において、実質上矩形状をなしている）ので、実質上同一部分は同一符号で示し、説明は省略する。缶２００内には図示しない食用油が収容されている。そして食用油の使用時には、缶２００の上壁１０４の所定の周縁部が開口される。図４の番号１１４は円形状をなす貫通孔を示すが、この貫通孔１１４は予め上壁１０４に形成されているもので、非使用時には例えば図示しないアルミ製のシール部材が貼着されることにより封止され、使用時には、このシール部材を剥がすことによって開口される。缶２００の上壁１０４の貫通孔１１４が開口された後、容器蓋４０がその排液口８が貫通孔１１４に整合されて上壁１０４を覆うよう装着される。具体的には、容器蓋４０は、注出案内壁１０の下端部が貫通孔１１４を貫通して缶２００内に挿入され、注出案内壁１０の係止突条４６が貫通孔１１４の周縁を越えた下方に係止され、シール壁４８の下端が上壁１０４の上面に密着され、側壁４４の内側面が缶２００の環状突条１０８の一側外周面に当接されることにより、缶２００に離脱自在に装着される。シール壁４８の外周面の一部は、缶２００の環状突条１０８の内周面の一部に当接され、側壁４４の内側面と協働して環状突条１０８の一側の一部を挟持する。そして注出案内壁１０からキャップ１４を離脱して排液口８を開き、缶２００を注出方向（図４において反時計方向）に傾けることにより食用油を注出案内壁１０から所望のとおりに注出することができる。食用油の注出終了後、注出案内壁１０はキャップ１４により閉じられて次の使用に備えられる。
【００２２】
上記容器蓋４０は上記の如く構成されているが、装着される缶２００の形態が缶１００と相違することに合わせて容器蓋２とは構成が相違している。しかしながら容器蓋４０における溢液吸収材保持手段３０の構成は、上記説明から明らかなように、容器蓋２における溢液吸収材保持手段３０の構成と実質上同様な形態をなしているので、容器蓋４０における作用効果は、先に述べた容器蓋２における作用効果と実質上同一であり、したがって更なる説明は省略する。
【００２３】
以上、本発明を実施形態に基づいて添付図面を参照しながら詳細に説明したが、本発明は上記実施形態に限定されるものではなく、本発明の範囲を逸脱することなく、更に他の種々の変形あるいは修正が可能である。例えば、本発明に従って構成された容器蓋２及び４０を、食用油を収容した缶１００及び２００に適用した実施形態に基づいて説明したが、もちろんこの実施形態に限定される理由はなく、例えば、食用油を収容した合成樹脂製の容器、あるいはまた、食用油以外の他の液体、例えばジュース等の飲料水が収容された缶あるいは合成樹脂製の容器に適用されることはいうまでもない。また図３に示す本発明の実施形態において、ストリップ片３２は側壁６から延出する一端部３５を有し、ストリップ片３２の主部３２ａは一端部３５に続いて側壁６に沿って周方向に延びているが、側壁６の垂下する長さを更に長く形成すると共に一端部３５を側壁６の下方に形成しかつストリップ片３２の主部３２ａを一端部３５に続いて側壁６に沿って上方に延びるよう構成する他の実施形態も考えられる。この実施形態の場合、ストリップ片３２の幅（側壁６に沿った周方向に延在する幅）は、注出案内壁１０から垂れ流れたり滴下した食用油を吸収した溢液吸収材３６を、確実に保持することができるに充分な広い幅に規定する必要がある。更にストリップ片３２の幅はまた、注出案内壁１０から垂れ流れたり滴下した食用油を、ストリップ片３２によって挟持した溢液吸収材３６によって、確実に受け止めることができるに充分な広い幅に規定する必要がある。またキャップ１４を容器蓋２又は容器蓋４０の一部として連結する手段として、実施形態では細長い柔軟なバンド２０が使用されているがこれに限られるものではなく、バンドに代えて種々のヒンジによる連結機構であってもよい。またキャップ１４も嵌め込み式のものに限定される理由はなく、ねじ式のものであってもよい。
【００２４】
【発明の効果】
本発明に係る溢液吸収材保持手段を備えた容器蓋によれば、排液口から垂れ流れたり滴下した液体を受け止めて確実に吸収することができ、その結果、容器の側面、容器が置かれる場所あるいは注出作業が行なわれる下方の周辺等を汚すことが確実に防止される。また排液口から垂れ流れたり滴下した液体を受け止めて確実に吸収することができる溢液吸収材の着脱が容易でありしたがって実用上便利である。更にはまた、排液口から垂れ流れたり滴下した液体を受け止めて確実に吸収することができる溢液吸収材を安定して保持することができる。更にはまた、構造が簡単で成形が容易であり、したがって低コストで製造することができる。
【図面の簡単な説明】
【図１】本発明に従って構成された容器蓋の実施形態を缶に装着した状態で示す側面図であって一部を縦断して示す側面図。
【図２】図１に示す容器蓋の上面縮小図。
【図３】本発明に従って構成された容器蓋の他の実施形態を示す上面図。
【図４】本発明に従って構成された容器蓋の他の実施形態を缶に装着した状態で示す縦断面図であって、缶の下方を省略した縦断面図。
【図５】図４に示す容器蓋及び缶の上面図。
【符号の説明】
２、４０  容器蓋
４、４２  上壁
６、４４  側壁
８  排液口
１０  注出案内壁
１４  キャップ
３０  溢液吸収材保持手段
３２  ストリップ片
３２ａ  主部
３４  端部
３５  一端部
３６  溢液吸収材
１００、２００  缶
【図１】
0004213801.tif 000002
【図２】
0004213801.tif 000003
【図３】
0004213801.tif 000004
【図４】
0004213801.tif 000005
【図５】
0004213801.tif 000006